(57)【特許請求の範囲】
【請求項１】
柄本体の一端に凹部を形成するとともに、ブラシを保持する保持部を、上記凹部に対して着脱自在にする一方、上記保持部であってブラシとは反対側となる底面に磁石を設け、上記凹部と保持部とをはめ合わせたときに上記磁石に対向する上記凹部底面に磁石または磁性体を設けた化粧用ブラシ具。
【請求項２】
上記凹部と保持部とは、それらを互いにはめ合わせたとき、ガタ付きがなくぴったりとはまり合う寸法関係を保った請求項１記載の化粧用ブラシ具。
【発明の詳細な説明】
【技術分野】
【０００１】
この発明は、ブラシ部分と柄の部分とを分離可能にした化粧用ブラシ具に関する。
【背景技術】
【０００２】
この種の化粧用ブラシ具として、特許文献１に記載されたものが従来から知られている。この従来の化粧用ブラシ具は、ブラシを保持する保持部と柄本体とをねじで結合し、必要に応じてそれらを分離できるようにしている。
つまり、ひとつの柄本体に対して、何種類ものブラシを取り替えながら使えるようにしたものである。
【先行技術文献】
【特許文献】
【０００３】
【特許文献１】特開平１０−２９５４４１号公報
【発明の概要】
【発明が解決しようとする課題】
【０００４】
上記のようにした従来の化粧用ブラシ具では、柄本体からブラシの保持部を分離できるが、分離したブラシの保持部を洗浄した後にそれを乾燥するとき、当該保持部を寝かせた状態で干さざるをえなかった。このように保持部を寝かせて干すと、ブラシの部分に含まれている水分が上記寝かせた部分に染み渡ったりして、その周辺を汚してしまうという問題があった。
また、上記のように保持部を寝かせた状態で干すと、ブラシの部分に不規則な癖ができてしまい、その乾燥後の使い勝手が悪くなるという問題もあった。
【０００５】
なお、化粧用ブラシ具によっては、柄本体の部分が太くなっていて、ブラシの部分を上にして立てておけるものもある。この場合には、上記のように保持部を寝かせて干すのとは異なり、ブラシの部分に含まれている水分が寝かせた部分に染み渡るようなことはない。
しかし、ブラシの部分を上にして干すと、そのブラシに含まれている水分は、ブラシの根元の部分に集中してしまうので、乾燥させにくくなるという問題が発生する。
【０００６】
この発明の目的は、柄本体とブラシを保持する保持部とを分離可能にして、ひとつの柄本体で複数のブラシに対応できるようにするとともに、分離した保持部に保持されたブラシを乾燥させやすい化粧用ブラシ具を提供することである。
【課題を解決するための手段】
【０００７】
第１の発明は、柄本体の一端に凹部を形成するとともに、ブラシを保持する保持部を、上記凹部に対して着脱自在にする一方、上記保持部であってブラシとは反対側となる底面に磁石を設け、上記凹部と保持部とをはめ合わせたときに上記磁石に対向する上記凹部底面に磁石または磁性体を設けた点に特徴を有する。
【０００８】
第２の発明は、上記凹部と保持部とは、それらを互いにはめ合わせたとき、ガタ付きがなくぴったりとはまり合う寸法関係を保った点に特徴を有する。
【発明の効果】
【０００９】
第１の発明によれば、ブラシを保持する保持部の底面に磁石を設けたので、柄本体と保持部とを接続するときには、当該磁石の作用で、柄本体と保持部とが簡単に抜けるの防止できる。
また、柄本体から分離した保持部に保持されたブラシを乾燥させるときには、ブラシの部分を下に向けながら、保持部の底面に設けた磁石を周辺の磁性体に吸着させれば、ブラシの部分に含まれた水分は、自重でブラシ先端に向けて流れて外部に放出されるので、短時間で当該ブラシを乾燥させることができる。
【００１０】
しかも、このときにはブラシの部分が宙に浮いた状態になってどこにも触れないので、ブラシに不規則な癖が付いたりしない。特に、ブラシ部分を鉛直方向に向けておけば、ブラシは真直ぐに伸びた状態で乾燥させることができるので、例えば、ブラシに付いた不規則な癖をとることもできる。
【００１１】
また、お化粧の途中に、保持部の磁石を周辺にある磁性体に接着してブラシを一時的に仮置きし、柄本体に別の種類のブラシをはめ合わせて使用することもできる。このときに、仮置きしたブラシが倒れて、それに含まれた化粧品を周囲に飛散させたりしない。
【００１２】
第２の発明によれば、保持体と凹部とは、それらをはめ合わせたとき、互いにがたつかない寸法関係を保っているので、柄本体を持ってブラシをスムーズに移動させることができ、なめらかな化粧が可能になる。
【図面の簡単な説明】
【００１３】
【図１】図１は保持部と柄本体とを接合した状態の一部断面図である。
【図２】図２は柄本体の一部断面図である。
【図３】図３はブラシの部分を下に向けて干している状態を示した正面図である。
【発明を実施するための形態】
【００１４】
柄本体１は、円柱状にするとともに、その中央部分を緩やかな円弧を描く曲線部１ａとしている。そして、この曲線部１ａを挟んで一方の円柱部１ｂはその直径を大きくして当該柄本体１を起立可能にしている。
また、一方の円柱部１ｂとは、上記曲線部１ａを挟んで反対側における他方の円柱部１ｃには、反対側に凹部１ｄを形成するとともに、この凹部１ｄの底面には磁石２を埋め込んでいる。
【００１５】
一方、ブラシ３を保持する保持部４は、それを上記凹部１ｄにはめ合わせるが、これら凹部１ｄと保持部４とは、それらをはめ合わせたときガタ付きがなくぴったりとはまり合う寸法関係を保っている。
また、この保持部４であって、上記ブラシ３とは反対側における底面４ａに磁石５を設けているが、保持部４を上記凹部１ｄにはめ合わせたとき、磁石５は凹部１ｄ内の磁石２と対向して互いに吸引する構成にしている。
【００１６】
したがって、ブラシ３の種類を異にした複数の保持部４を備えておけば、目的に応じて複数のブラシを使い分けることができる。しかも、この場合には、柄本体１は１つで足りるので、経済性に富んだものになる。
【００１７】
また、ブラシ３を洗ってそれを干すときには、図３に示すように、ブラシ３を下に向けて、保持体４の底面に設けた磁石５を周囲にある磁性体面６に接着すればよい。
このようにブラシ３を下に向けて干すことによって、ブラシ３に含まれた水分は、自重でブラシ先端に向けて流れおちて外部に放出されるので、短時間で当該ブラシを乾燥させることができる。
【００１８】
また、このときにはブラシ３の部分が宙に浮いた状態になってどこにも触れないので、ブラシ３に不規則な癖が付いたりしない。特に、ブラシ３の部分を鉛直方向に向けておけば、ブラシ３は真直ぐに伸びた状態で乾燥させることができるので、例えば、ブラシに付いた不規則な癖をとることもできる。
【００１９】
さらに、お化粧の途中で、ブラシ３とともに保持体４の磁石５を周囲の磁性体面６に接着させて一時的に仮置きすることもできる。特に、一度使用したブラシ３は、それを洗浄しない限り、化粧品を含んでいるので、それが不用意に倒れたりすると、そのブラシ３に含まれた化粧品が飛散して、その周囲を汚してしまう。
しかし、上記のようにお化粧の途中にでも、ブラシ３とともに保持体４を安定的に仮置きできるので、ブラシ３が倒れて周囲を汚すようなことはない。
【００２０】
なお、上記実施形態では、柄本体１の凹部１ｄにも磁石２を設けたが、この磁石２に代えて、例えば金属製の磁性体を設けてもよいこと当然である。
【符号の説明】
【００２１】
１      柄本体
１ｄ    凹部
２      磁石
３      ブラシ
４      保持部
５      磁石
【要約】
【課題】  保持部４に保持されたブラシ３を洗浄後に周囲にある磁性体面６に接着した状態で干すことができるようにするとともに、それをお化粧途中に仮置きできるようにする。
【解決手段】  柄本体１の一端に凹部１ｄを形成するとともに、ブラシ３を保持する保持部４を、上記凹部１ｄに対して着脱自在にする。一方、上記保持部４であってブラシ３とは反対側となる底面に磁石５を設け、上記凹部１ｄと保持部４とをはめ合わせたときに上記磁石５に対向する上記凹部底面に磁石２を設けている。
【選択図】  図１【図１】
0004624481.tif 000002
【図２】
0004624481.tif 000003
【図３】
0004624481.tif 000004